(57)【要約】【課題】  ドラム内を乾燥させるために熱風を吹出す給風口の位置に対する照明装置の位置決めをし、熱による照明装置の劣化を防ぐドラム式洗濯乾燥機を提供する。【解決手段】  前面にドラム１１内を透視可能な透視窓３２がある扉２８を有するドラム式洗濯乾燥機において、外箱１内に貯水可能な水槽２を弾性支持し、水槽２内には洗濯物が収容されるドラム１１を回転可能に設ける。水槽２の前面にある開口の周縁に設けられた環状の水槽カバー２１には熱風をドラム１１内に供給する給風口２２が設けられており、水槽カバー２１の給風口２２から熱風が吹出される方向と異なる位置にドラム１１内を照らす照明装置２４を設ける。【選択図】  図１
2006197963.tif 000002
【特許請求の範囲】
【請求項１】
洗濯物出入口を開閉する扉を前面に有する外箱と、
この外箱の内部に弾性支持され、前面に開口部を有する水槽と、
この水槽の内部に設けられ、洗濯物を収容して回転駆動される前面に洗濯物投入口を有す
るドラムと、
前記水槽の開口部の周縁に設けられる水槽カバーと、
前記洗濯物出入口と前記水槽カバーを水密につなぐシール部材と、
前記外箱と前記水槽の間の所定位置に設けられ、熱風を生成する熱風生成装置と、
前記水槽カバーに設けられ、前記熱風生成装置からの前記熱風を前記ドラム内に供給する
給風口と、
前記水槽カバーの前記給風口から吹出される前記熱風の吹出し方向と異なる位置に設けら
れ、前記ドラム内を前記ドラムの手前から奥行きに向けて光を照射する照明装置と、
前記扉に設けられ、前記ドラム内を透視可能とする透視部とを
備えることを特徴とするドラム式洗濯乾燥機。
【請求項２】
前記水槽カバーは前記熱風生成装置で生成された熱風を導く給風路を前記水槽カバーの
内側に突出させて形成し、この給風路の先端に前記給風口が前記ドラムの前記洗濯物投入
口に対向して設けられ、前記熱風を直接前記ドラム内方向に吹出すことを特徴とする請求
項１に記載のドラム式洗濯乾燥機。
【請求項３】
前記透視部は前記ドラム側に膨出した膨出部を有し、この膨出部には前記照明装置に対
向する位置に前記ドラム内方向に傾斜した光を反射する光反射面を設け、前記照明装置か
ら前記光反射面に照明された光を前記ドラム内に反射させることを特徴とする請求項１又
は請求項２に記載のドラム式洗濯乾燥機。
【請求項４】
洗濯物出入口を開閉する扉を前面に有する外箱と、
この外箱の内部に弾性支持され、前面に開口部を有する水槽と、
この水槽の内部に設けられ、洗濯物を収容して回転駆動される前面に洗濯物投入口を有す
るドラムと、
前記水槽の開口部の周縁に設けられる水槽カバーと、
前記洗濯物出入口と前記水槽カバーを水密につなぐシール部材と、
前記外箱と前記水槽の間の所定位置に設けられ、熱風を生成する熱風生成装置と、
前記水槽カバーに設けられ、前記熱風生成装置からの前記熱風を前記ドラム内に供給する
給風口と、
前記扉に設けられ、前記ドラム内を透視可能とする透視部とを具備し、
この透視部は前記扉の前面に設けられた前面透視部と前記扉の後面に設けられた後面透視
部とで構成され、前記前面透視部と前記後面透視部との間に気密された空間部を有し、こ
の空間部に前記ドラム内を手前から奥行きに向けて光を照射する照明装置が設けられてい
ることを特徴とするドラム式洗濯乾燥機。
【請求項５】
前記照明装置はＬＥＤ及びこのＬＥＤが取り付けられる基盤を有し、この基盤の前記Ｌ
ＥＤの取り付け側表面は白色にシルク印刷され、前記ＬＥＤから照明された光を反射する
ことを特徴とする請求項１乃至請求項４のいずれか１項に記載のドラム式洗濯乾燥機。
【発明の詳細な説明】
【技術分野】
【０００１】
本発明は、ドラム内を照らす照明装置を有するドラム式洗濯乾燥機に関する。
【背景技術】
【０００２】
従来より、この種のドラム式洗濯乾燥機は外箱内に貯水可能な水槽を弾性支持し、水槽
内には洗濯物が収容されるドラムが前記水槽の後面に装着されたモーターにより回転可能
に設けられる構成としている。
【０００３】
そして外箱の前面に洗濯物出入口と、ドラム内を透視可能とする透視窓を有し、洗濯物
出入口を開閉するための扉が設けられている。また、洗濯物出入口と水槽の前面とをつな
ぐベローの上部部位にドラム内を照明する照明装置が設けられている。この照明装置によ
って、ドラムの内部の視認性を向上させることができ、使用者がドラム内の洗濯物の状態
やドラムの回転の様子等を容易に視認することを可能としていた（例えば、特許文献１参
照。）。
【０００４】
しかしながら、このようなベローの上部部位に照明装置を取り付ける構成のドラム式洗
濯乾燥機において、例えば水槽の後面にドラム内を乾燥させるための熱風を吹出す給風口
が設けられる場合には水槽の後面から扉方向に熱風が吹出されることにより、ベローの上
部部位に設けられた照明装置に熱風が直接当たってしまう。そのため照明装置を有するド
ラム式洗濯乾燥機においては照明装置の位置とドラム内を乾燥させるために熱風を吹出す
給風口の位置によっては照明装置に熱風が直接あたり照明装置が熱によって劣化してしま
うという問題があった。
【特許文献１】特許第３５４４８７４号公報（第４頁、図１）
【発明の開示】
【発明が解決しようとする課題】
【０００５】
上述したように特許文献１に示す従来の照明装置を有するドラム式洗濯乾燥機において
は、照明装置の位置とドラム内を乾燥させるための熱風を吹出す給風口の位置によっては
照明装置に熱風が直接あたってしまい照明装置が熱によって劣化してしまうという問題が
あった。
【０００６】
本発明は上記問題点を鑑みてなされたもので、照明装置を使用しドラム内を照らし、給
風口から吹出される熱風が当ることによる照明装置の劣化を防ぐドラム式洗濯乾燥機を提
供することを目的とする。
【課題を解決するための手段】
【０００７】
上記目的を達成するために、本発明に係わるドラム式洗濯乾燥機は、洗濯物出入口を開
閉する扉を前面に有する外箱と、この外箱の内部に弾性支持され、前面に開口部を有する
水槽と、この水槽の内部に設けられ、洗濯物を収容して回転駆動される前面に洗濯物投入
口を有するドラムと、前記水槽の開口部の周縁に設けられる水槽カバーと、前記洗濯物出
入口と前記水槽カバーを水密につなぐシール部材と、前記外箱と前記水槽の間の所定位置
に設けられ、熱風を生成する熱風生成装置と、前記水槽カバーに設けられ、前記熱風生成
装置からの前記熱風を前記ドラム内に供給する給風口と、前記水槽カバーの前記給風口か
ら吹出される前記熱風の吹出し方向と異なる位置に設けられ、前記ドラム内を前記ドラム
の手前から奥行きに向けて光を照射する照明装置と、前記扉に設けられ、前記ドラム内を
透視可能とする透視部とを備えることを特徴とする。
【発明の効果】
【０００８】
本発明のドラム式洗濯乾燥機によれば、水槽カバーに設けられるドラムの内部を照らす
照明装置は、水槽カバーに設けられる給風口が熱風を吹出す方向と異なる位置に設けられ
ているため、給風口から吹出される熱風があたることによる照明装置の劣化を防ぐことが
可能である。
【発明を実施するための最良の形態】
【０００９】
以下、図面を用いて本発明の実施形態を説明する。
【実施例１】
【００１０】
本発明によるドラム式洗濯乾燥機の第１の実施形態を図１乃至図６を参照して説明する
。
【００１１】
まず、図１は、ドラム式洗濯乾燥機の正面図を示している。図２は、図１の照明装置を
断面としたＡ−Ａ断面図である。図３は、図１の給風口を断面としたＢ−Ｂ断面図である
。図４は、ドラム式洗濯乾燥機の斜視図を示している。図５は照明装置の組立図を示して
いる。図６は照明装置の給風口に対する水槽カバーへの取り付け位置を示した水槽カバー
の断面図である。
【００１２】
図１および図２に示すように、ドラム式洗濯乾燥機は全体として矩形箱状を成す外箱１
の内部に、水槽２を配設している。水槽２は前面に開口部を有するドラム状を成すもので
、外箱１の底面部に左右一対（一方のみ図示）のサスペンション３を介して横向きに弾性
支持されており、その支持形態は、水槽２の開口部２ａから水槽２の底部に向かって下り
の傾斜（図２の側面図では右下がり）を有する形状である。
【００１３】
水槽２の閉塞された底面の後端面部（図２中、右側の端面部）には、補強板４が取付け
られており、この補強板４及び水槽２の前記後端面部の中心部に、回転軸の軸受５，６を
内装した軸受ハウジング７が取付けられている。また、軸受ハウジング７には、水槽２の
底面背部に位置して、モータ８のステータ９が取付けられている。このモータ８は、ロー
タ１０をステータ９の外方に有するアウターロータ形のモータを使用している。
【００１４】
また、水槽２の内部には、所定の間隙（径が少し小さい）をもつドラム１１が配設され
ている。このドラム１１の閉塞された底面の後端面部には、それより厚い例えば金属製の
ドラム支え１２が取付けられている。このドラム支え１２及びドラム１１の後端面底部の
中心部に取付けられたドラムシャフト１３は、水槽２の底部の中心部から前記軸受ハウジ
ング７の軸受５，６内に挿通されている。そして、軸受ハウジング７から突出したドラム
シャフト１３の後端部は、前記モータ８のロータ１０に取付けられている。これにより、
ドラム１１は、水槽２と同じ傾斜をもって水槽２に回転可能に支持される。
【００１５】
前記ドラム１１には、胴部のほぼ全域に脱水孔１４が設けられており（図２、図３では
、一部のみ図示）、また胴部の内周部の数か所にバッフル１５が取付けられている（図２
、図３では、一部のみ図示）。更に、水槽２の下側の側面部に対向して洗濯水加熱用のヒ
ータ１６が設けられており、そのほか、水槽２の側面最低部に設けられている排水口１７
には、排水弁１８が取付けられていて、この排水弁１８を開閉する排水弁用モータ１９が
水槽２の外側下面部に取付けられている。また、排水弁１８の先には排水ホース２０が接
続されている。
【００１６】
水槽２の開口部２ａの周縁には水槽カバー２１が装着されており、この水槽カバー２１
は中央部に開口部２３を有するリング状を成している。この水槽カバー２１は、下部２１
ａより上部２１ｂを前方に長く延ばす形状をしており、その上部２１ｂの中央に後述する
給風口２２を先端に有する給風路２２ａ（図３又は図６参照）が設けられている。そして
、例えばドラム式洗濯機の前面部１ａから見て給風口２２の開口の方向と異なる位置であ
る給風口２２の左側の近傍した位置に照明装置２４が設けられている（図１参照）。
【００１７】
更に、この水槽カバー２１は、鉄板やステンレス板等の金属、又はガラスなどの耐熱性
である剛性材で構成されている。
【００１８】
この水槽カバー２１に対して、ドラム１１のドラム前面１１ａにはドラムカバー２５が
取り付けられている。このドラムカバー２５は、ドラム１１の開放された前面の周縁部に
装着されたもので、中央部に洗濯物投入口２６を有するリング状を成しており、耐熱材で
構成されている。
【００１９】
また、外箱１の前面部１ａには円形状の洗濯物出入口２７を形成しており、この洗濯物
出入口２７には開閉可能な扉２８が取り付けられている。
【００２０】
この扉２８は、図１に示すように、例えば洗濯物出入口２７の形状に合わせた円形の形
状を有しており、この扉２８の左側端部に取り付けられたヒンジ２９により手前に回動す
ることによって、洗濯物出入口２７を開閉するようになっている。また、この扉２８の右
側端部には、開閉操作のための取手３０と、閉鎖状態保持用のフック３１とが設けられて
いる。更に、扉２８の中央部は洗濯物出入口２７と同程度の大きさの透視部である透視窓
３２が設けられている。この透視窓３２は、図２に示すように例えば扉２８の前面に前面
ガラス３３と、扉２８の後面に前面ガラス３３に平行に設けられた後面ガラス３４とによ
る２重構造をなして構成されており、２重構造の隙間には密閉された空間部である透視窓
空間部３２ａが形成される。
【００２１】
そして、洗濯物出入口２７と水槽カバー２１との間は、シール部材であるベロー３５に
よって水密に連通接続されている。このベロー３５は、ドラム１１や水槽２からの振動に
対処し得る柔軟性を有すると共に、洗剤溶液等の耐薬品性にも優れた材料（例えば、エチ
レン・プロピレン系の合成ゴム）にて作られており、全体的に概略筒状をなし、中間部位
には蛇腹部３５ａを有して、水槽２外への漏水を防止する構成をしている。
【００２２】
更に、図３に示すように、水槽２の後方の例えば前面から見て右側部には除湿器３６が
配設されており、また水槽２の前面から見て右上部にケーシング３７が配設されている。
【００２３】
この除湿器３６の下端部は水槽２の排水口１７に接続され、その上端部はケーシング３７
に接続されている。これにより、この除湿器３６を介して排水口１７とケーシング３７が
連通されている。
【００２４】
前記ケーシング３７にはファン３８が内設されており、このファン３８はベルト伝動機
構３９を介してファン用モータ４０に接続され、回転駆動される。
【００２５】
また、ケーシング３７はダクト４１に接続されており、このダクト４１内にはヒータ４
２が配設されている。このヒータ４２と前記ファン３８とで熱風生成装置４３を構成する
。
【００２６】
この熱風生成装置４３で生成された熱風を送風するダクト４１の先端部は、図１、図３
、図６に示すように水槽カバー２１から外側へ突状に形成されている給風路２２ａに接続
されており、この給風路２２ａの出口である給風口２２は水槽カバー２１上の給風口２２
と対向した位置Ｓ（斜線部Ｓ）に向かって開口されている。これにより、「乾燥」動作時
に、水槽２とドラム１１内の湿った空気が排水口１７、除湿器３６、ケーシング３７、ダ
クト４１、給風路２２ａのルートを辿って乾燥した熱風となって、給風口２２から水槽２
とドラム１１内に送風される。
【００２７】
また、図３に示すように外箱１内上部の隅部には、水槽２内に給水するための給水弁４
４が配設されており、その先のフレキシブル給水ホース４５によって水を水槽２内に導き
入れる。
【００２８】
そして、水槽カバー２１の上部２１ｂの所定位置に図５（ａ）に示すように水槽カバー
２１の周方向に長尺な取り付け口２１ｃが形成されており、照明装置２４は取り付け口２
１ｃを水槽カバー２１の外側から塞ぐようにしてねじ２４ｂにより取り付け固定される。
【００２９】
この取り付け固定時には、照明装置２４の周縁部と水槽カバー２１との間に矩形枠状の
シール用パッキン２４ｃが介されるものであり、照明装置２４の取り付け部分からの水漏
れを防止するようにしている。なお取り付け口２１ｃの外周面には、上記ねじ２４ｂを螺
合させるための複数個のボス部２１ｃ１が突出形成されている（図５（ｂ）参照。）。
【００３０】
図５（ｃ）及び図５（ｄ）  において、照明装置２４は、矩形状の照明装置本体部２４
ｄと、この照明装置本体部２４ｄの前面に例えばねじ止めにより装着される透明樹脂製の
カバー部材２４ｅとを備えた構成となっている。上記照明装置本体部２４ｄには、収納部
２４ｄ１が凹状に形成されており、この収納部２４ｄ１内に３つのＬＥＤ２４ａが設けら
れている基盤２４ａ１が配置される構成となっている。
【００３１】
尚、図５（ｄ）に示すように基盤２４ａ１のＬＥＤ２４ａが設けられている側の表面は
例えば全面が白色になるようにシルク印刷（斜線部Ｔ）が施されている。さらに収納部２
４ｄ１の表面には、メッキなどによる鏡面加工を施すことにより光反射面として機能する
ように構成されている。
【００３２】
また、前記カバー部材２４ｅは、照明装置本体部２４ｄの形状に対応した矩形状をなす
もので、収納部２４ｄ１に対応した部分に水槽カバー２１内に入り込んだ形態となる突部
２４ｅ１が形成されている。
【００３３】
そして収納部２４ｄ１に配置された基板上の３つのＬＥＤ２４ａは突部２４ｅ１内側で
照射する光が、ドラム１１内を斜め下向きの指向方向を有するように位置される構成をと
る（図２及び図５（ｂ）参照）。
【００３４】
これら構成により照明装置２４は水槽カバー２１の円周に沿って３つ並ぶＬＥＤ２４ａ
を有することになりドラム１１内を照明する。
【００３５】
さらに、照明装置本体部２４ｄ内には、ＬＥＤ２４ａを点灯させるための回路（図示せ
ず）が設けられるものであり、当該照明装置本体部２４ｄからは、上記回路に電源を与え
るための電源コード２４ｆが引き出されている。
【００３６】
このほか、図２に示すように外箱１の底面部の４隅には脚４６が設けられている。また
、外箱１の背面部には作業口４７が形成されていて、この作業口４７には裏板４８が着脱
可能に取り付けられている。更に、外箱１の前面部１ａの最上部には、図１に示すように
、操作パネル４９と、洗剤投入ケース５０とが設けられている。
【００３７】
次に、上記構成を有するドラム式洗濯乾燥機の作用及び効果について説明する。
【００３８】
まず、本来の洗濯乾燥機能としては、周知のように「洗濯」・「すすぎ」・「脱水」・
「乾燥」行程を自動的に実行するものである。
【００３９】
「洗濯」時には、排水弁１８を閉じ、洗濯物出入口２７から投入する洗濯物（図示せず
）をドラム１１内に収容した状態で、給水弁４４を通じて供給される洗濯水（図示せず）
を水槽２内の下部に溜め、洗剤投入ケース５０から洗剤を投入した上で、ドラム１１をモ
ータ８により、例えば５０〜６０〔ｒｐｍ〕の低速度で正逆両方向に交互に回転させる。
【００４０】
これにより、洗濯物を洗濯水と共に撹拌して洗濯を行う。この際、洗濯物と洗濯水をバッ
フル１５が順次かき上げ、洗濯物及び洗濯水の撹拌を促進する。
【００４１】
「すすぎ」時には、排水弁１８を閉じ、給水弁４４から洗濯水を水槽２内に溜め、ドラ
ム１１をモータ８により、例えば５０〜６０〔ｒｐｍ〕の低速度で正逆両方向に交互に回
転させる。これにより、洗濯物を洗濯水と共に撹拌して洗濯物に付着した汚れと洗剤をす
すぐ。このすすぎ後の洗濯水は水槽２の排水口１７から排水弁１８及び排水ホース２０を
通じて機外に排出される。
【００４２】
「脱水」時には、排水弁１８および給水弁４４を閉じた状態で、ドラム１１をモータ８
により、８００〜９００〔ｒｐｍ〕の高速度で一方向に回転させる。これにより、洗濯物
に含まれた水を、遠心力により脱水孔１４から排出させる。この排出させた水は、水槽２
の排水口１７から排水弁１８及び排水ホース２０を通じて外箱１外に排出される。
【００４３】
「乾燥」時には、ドラム１１をモータ８により、例えば洗濯時と同じく５０〜６０〔ｒ
ｐｍ〕の低速度で正逆両方向に交互に回転させ、同時に熱風生成装置４３で加熱された熱
風を給風口２２からドラム１１内に送風する。
【００４４】
しかるに、「洗濯」「すすぎ」「脱水」「乾燥」の運転中には衣類が撹拌され、或は遠
心脱水されることによって遠心力が発生し、ドラム１１は上下左右の方向に（ドラム１１
の回転軸線の半径方向）に振動する。
【００４５】
水槽２も同様にそのドラム１１の振動に伴い振動するが、水槽２の振動に対して同期し
て振動するため、ドラム１１の外周面と水槽２の内周面は当ることはない。
【００４６】
これに対して、水槽カバー２１に設けられたベロー３５は、柔軟性に富む材料で作成さ
れているに加え、中間部位に蛇腹部３５ａが形成されているので、水槽２の振動に対して
遅れて追従し、ゆがみ変形して水槽２の振幅を吸収する。
【００４７】
また上述したように、「乾燥」時には、ドラム１１の回転と同時に熱風生成装置４３の
ファン３８を回転させ、またヒータ４２を発熱させている。これにより、図３の空気の流
れを示す矢印のように、ドラム１１内の湿った空気は水槽２の排水口１７から除湿器３６
に排気され（矢印Ｂ方向の空気の流れ）、この除湿器３６で空気の除湿が行われてケーシ
ング３７に送られる（矢印Ｃ方向の空気の流れ）。そして、ケーシング３７内のファン３
８により送風され、さらにダクト４１内のヒータ４２により加熱され、１００度以上の熱
風となる（矢印Ｄ方向の空気の流れ）。そして、水槽カバー２１の給風路２２ａに設けら
れた給風口２２から勢いよく水槽カバー２１上の給風口２２に対向した下部２１ａの位置
Ｓ（斜線部Ｓ）に向かって１００度程度の熱風が吹出される（矢印Ｅ方向の空気の流れ）
（図１、図３、図６参照。）。この矢印Ｅ方向の空気の流れの一部は位置Ｓに当って反射
され、矢印Ｆ方向の空気の流れとなりドラム１１内に拡散される。また、その矢印Ｅ方向
の空気流れの一部は途中で矢印Ｇ方向の空気の流れとしてドラム１１内に拡散され、撹拌
中の洗濯物に接触させて、洗濯物を乾燥する。
【００４８】
しかして、図１、図６に示すように給風口２２から吹出される熱風の吹出し方向と異な
る位置（位置Ｓ以外の位置）に設けられた照明装置２４には勢いがあり高温である熱風は
直接あたりにくく、位置Ｓで反射された熱風（矢印Ｆ方向の空気の流れ）が水槽カバー２
１の内周を対流し、ドラム１１内に拡散される。そして、ドラム１１内に供給された矢印
Ｆおよび矢印Ｇ方向の空気の流れは、排水口１７付近で合流し、再び矢印Ａ方向の空気の
流れとなり、ドラム１１内の空気が循環して乾燥処理が行われる。
【００４９】
ここで、照明装置２４が有するＬＥＤ２４ａの照射範囲について説明する。
【００５０】
このＬＥＤ２４ａは、操作パネル４９のスイッチ操作に応じてドラム式洗濯乾燥機の運
転中であっても照射することができる。また、光がドラム１１内を斜め下向きの指向方向
を有するように照明装置２４が水槽カバー２１に取り付けられているので、図２に示すよ
うにＬＥＤ２４ａによりドラム１１内の照射範囲Ｘ（斜線部Ｘの範囲）（ドラム内の手前
から奥行きに向けて）に光を照射することができる。そのＬＥＤ２４ａから照射された光
の一部は基盤２４ａ１の白色にシルク印刷された表面（斜線部Ｔ）と収納部２４ｄ１の鏡
面加工された表面に反射されて（図５（ｄ）参照）、ドラム内に向かう。
【００５１】
以上のような本発明の第１の実施形態によれば、照明装置２４を剛性材で形成される水
槽カバー２１に設けることにより、水槽２やドラム１１の振動に対しても変形せず、大き
く歪むことはないため照明装置２４の取り付け口２１ｃが広がったり、照明装置２４が外
れることはない。したがって水漏れが誘発されることはなく、確実に水密性を保つことが
できる。
【００５２】
また、ドラム１１の回転に伴う水槽カバー２１の振動はドラム１１と同期しているため
振幅の周期も略同じであり、相対的な位置は変化しないため照明装置２４からドラム１１
内を照射する照射範囲Ｘは略同じ範囲を保つことができ、ドラム１１内の視認性が向上す
る。
【００５３】
さらに、照明装置２４を熱風を吹出す給風口２２の吹出し方向と異なる位置（斜線部Ｓ
以外の位置）に設けることにより、給風口２２から送風される熱風がランプ２４に直接当
たりにくいため、熱による照明装置２４及びＬＥＤ２４ａの劣化を防ぐことができ、照明
装置２４及びＬＥＤ２４ａを頻繁に交換することなく長期間使用することが可能となる。
【００５４】
そして基盤２４ａ１のＬＥＤ２４ａが設けられている側の表面の全面を白色にシルク印
刷が施されることにより、照明装置２４を見た際に照明装置２４が目立たなくなると共に
、ＬＥＤ２４ａから発せられる光が反射し、ドラム１１内をより明るく照射することがで
きる。
【００５５】
さらに収納部２４ｄ１の表面に鏡面加工を施すことによってもドラム１１内をより明る
く照射することができる。
【００５６】
また照明装置２４はＬＥＤ２４ａを使用したが、電球等を使用しても良い。  また、照
明装置２４はＬＥＤ２４ａ単体で構成されても良い。この場合の照明装置２４の取り付け
方は、取り付け口が例えばねじ切りされた孔で形成され、この取り付け口に外周にねじ部
を有する円筒状のＬＥＤ２４ａがねじ間に耐熱性のシール材が塗布された状態でねじ込ま
れる。この場合もＬＥＤ２４ａから発する光が、ドラム１１内を斜め下向きの指向方向を
有するように取り付けられている。
【実施例２】
【００５７】
次に、本発明に係るドラム式洗濯乾燥機の第２の実施形態について図７乃至図９を参照
して説明する。
【００５８】
図７は、ドラム式洗濯乾燥機の正面図を示している。図８は水槽カバーに設けられた給
風口の位置を示した図である。図９は、図７の給風口を断面としたＣ−Ｃ断面図である。
【００５９】
なお、以下では第１の実施形態と同一部分については同一の符号を付して説明を省略し、
以下異なるところについて説明する。
【００６０】
即ち、第２の実施形態では、図９に示すように水槽カバー２１に上部２１ｂからドラム
１１の洗濯物投入口２６の位置まで給風路５２ａが突出して形成され、ドラム１１と後面
ガラス３４の間に位置されている。そしてこの給風路５２ａの出口である給風口５２がド
ラムカバー２５の洗濯物投入口２６に対向して設けられている。
【００６１】
次に、第２の実施形態の構成を有するドラム式洗濯乾燥機の作用及び効果について説明
する。
【００６２】
ドラム式洗濯乾燥機の「乾燥」動作時には、ドラム１１の回転と同時に熱風生成装置４
３で生成された熱風がファン３８の回転により、図９の空気の流れを示す矢印のようにダ
クト４１から給風路５２ａを通り、ドラム１１の内側方向に開口している給風口５２から
直接熱風がドラム１１内に勢いよく吹出される（矢印Ｔ方向の空気の流れ）。
【００６３】
しかして、図７、図８に示すように給風口５２から熱風が吹出される方向（ドラム１１
内方向）と異なる位置に設けられた照明装置２４には熱風は直接あたりにくく、その矢印
Ｔ方向の空気流れの一部は途中でドラム１１内に拡散され、撹拌中の洗濯物に接触させて
、洗濯物を乾燥する。
【００６４】
そして洗濯物に接触された熱風は排水口１７付近で合流し、矢印Ａ方向の空気の流れと
なり、第１の実施形態で説明したようにドラム１１内の空気が循環して乾燥処理が行われ
る。
【００６５】
以上のような本発明の第２の実施形態によれば、給風路５２ａを水槽カバー２１から水
槽カバー２１の内側に突出させて、熱風の給風路５２ａの出口である給風口５２をドラム
１１内方向に設けることにより、熱風を直接ドラム１１内に吹き込むことにより、水槽カ
バー２１に設けられた照明装置２４には熱風があたりにくくなり、熱による照明装置２４
及びＬＥＤ２４ａの劣化を防ぐことができ、照明装置２４及びＬＥＤ２４ａを頻繁に交換
することなく長期間使用することが可能となる。
【００６６】
なお本実施例では給風路５２ａを水槽カバー２１内に突出させて形成させたが、熱風生
成装置４３で生成された熱風は水槽カバー２１の方向ではなく直接ドラム１１方向に吹出
されればよく、給風路５２ａが熱風を導き、給風口５２の開口の向きが水槽カバー２１に
向かず、ドラム１１の内側方向に向いていればよい。
【００６７】
また本実施例では給風路５２ａを水槽カバー２１の一部として突出させて形成させたが
、給風路５２ａは水槽カバー２１と一体成形される必要はなく、給風路５２ａを別部材で
作成し、水槽カバー２１に取り付ける構成としても良い。
【実施例３】
【００６８】
次に、本発明に係るドラム式洗濯乾燥機の第３の実施形態について図１０乃至図１３を
参照して説明する。
【００６９】
図１０は、ドラム式洗濯乾燥機の正面図を示している。図１１は、図１０の照明装置を
断面としたＤ−Ｄ断面図である。図１２は、図１０の給風口を断面としたＥ−Ｅ断面図で
ある。図１３は、ドラム式洗濯乾燥機の斜視図を示している。なお、以下では第１の実施
形態と同一部分については同一の符号を付して説明を省略し、以下異なるところについて
説明する。
【００７０】
即ち、第２の実施形態では、水槽カバー２１の上部２１ｂの右側に給風口２２が形成さ
れ、その給風口２２の左側の近い位置に並設して照明装置１２４が設けられている。
【００７１】
また扉２８の中央部には円形状の透視部である透視窓１３２が設けられており、この透
視窓１３２は前面部１ａ側に設けられた前面ガラス１３３と、扉２８から円形な皿容器状
をなして後方（ドラム１１側）に膨出した形状の膨出部である後面ガラス１３４とで構成
されている。扉２８を閉めた状態ではこの後面ガラス１３４はベロー３５内側でドラムカ
バー２５の洗濯物投入口２６の前方に位置している（図１１、図１２参照）。
【００７２】
さらに図１１、図１２に示すように後面ガラス１３４の外周には照明装置１２４及び給
風口２２に対向する位置に傾斜面１００が形成されている（図１０、図１３参照）。この
傾斜面１００の形状は扉２８を閉めた状態の後面ガラス１３４の外周上の前方（前面ガラ
ス３３側）であって、水槽カバー２１上の照明装置１２４及び給風口２２の中心点と対向
する位置Ｖを頂点として、後方に向かって例えば４５度の角度で傾斜された態様に形成さ
れている。
【００７３】
この傾斜面１００は照明装置１２４から照射される光が反射してドラム１１内に導くこ
とができるように光反射面１０１が形成された構成としている。
【００７４】
光反射面１０１としては例えば表面を研磨するなどの機械的手段、または表面をエッチ
ングするなどの科学的手段により、表面に凹凸等を設けることにより形成させ、また、金
属、あるいは、酸化アルミニウム、酸化ケイ素、酸化チタンなどの金属酸化物の粒子を含
んだ膜により形成させる。
【００７５】
この構成をとることにより図１１に示すように扉２８が閉じている際に操作パネル４９
のスイッチ操作により照明装置１２４を照射させると、照射された光は直接ドラム１１内
を照らす光と、傾斜面１００に反射される光に分かれ、ドラム１１内の下方向を照らす照
射範囲Ｙ（斜線部Ｙ）とドラム１１内の後方から上方向にわたって照らす照射範囲Ｚ（斜
線部Ｚ）を得る。
【００７６】
一方、ドラム１１内に送風される空気の流れは、図１２に示すようにまず水槽カバー２
１に形成されている給風口２２から勢いよく下部２１ａに向かって吹き出される（矢印Ｈ
方向の空気の流れ）。その一部は傾斜面１００にぶつかり、傾斜面１００に沿った方向へ
変化し、ドラム１１内の上方に導かれる（矢印Ｅ方向の空気の流れＩ）。また他の一部は
下部２１ａに向かう途中でドラム１１内に導かれ、矢印Ｊ方向の空気の流れとしてドラム
１１内下方向に供給される。このように矢印Ｈ方向の空気の流れは矢印Ｉ方向の空気の流
れと矢印Ｊ方向の空気の流れに分散されることによりドラム１１内の全域に熱風が供給さ
れ洗濯物の乾燥をする。そして矢印Ｈ、Ｉ、Ｊ方向の空気の流れは排水口１７で矢印Ａ方
向空気の流れに合流し、ドラム１１内を排気され水槽２の周りのダクト等を循環し再びド
ラム１１内に吸気される。
【００７７】
以上のような本発明の第３の実施形態によれば、照明装置１２４を給風口２２と並設さ
せて水槽カバー２１に設け、さらに扉２８の透視部である透視窓３２の後面ガラス１３４
に照明装置１２４及び給風口２２に対向した傾斜面１００を設け、傾斜面１００に光反射
面１０１を形成させることにより、照明装置１２４からの光の一部が光反射面１０１で反
射し、照射範囲を広げることができドラム１１内の全域にわたって明るく照射することが
可能となる。さらに給風口２２から吹出される熱風は光反射面１０１にぶつかり分散され
ることによりドラム１１内の全域に熱風を供給することができ洗濯物を速く乾燥でき乾燥
効率を向上させることができる。
【実施例４】
【００７８】
次に、本発明に係るドラム式洗濯乾燥機の第４の実施形態について図１４乃至図１６を
参照して説明する。
【００７９】
図１４は、ドラム式洗濯乾燥機の正面図を示している。図１５は、図１４の照明装置を
断面としたＦ−Ｆ断面図である。図１６は透視窓に取り付けられた照明装置の拡大図を示
している。
【００８０】
なお、以下では第１の実施形態と同一部分については同一の符号を付して説明を省略し
、以下異なるところについて説明する。
【００８１】
第４の実施形態では、照明装置２２４が２重構造で構成されている扉２８に形成される
空間部である透視窓空間部３２ａに設けられている。
【００８２】
この扉２８は、図１４に示すように、例えば洗濯物出入口２７の形状に合わせた円形の
形状を有しており、その左側端部に取り付けられたヒンジ２９により手前に回動すること
によって、洗濯物出入口２７を開閉するようになっている。また、この扉２８の右側端部
には、開閉操作のための取手３０と、閉鎖状態保持用のフック３１とが設けられている。
【００８３】
更に、扉２８の中央部は洗濯物出入口２７と同程度の大きさの透視部である透視窓３２が
設けられている。この透視窓３２は、例えば扉２８の前面に前面透視部である前面ガラス
３３と、扉２８の後面に前面ガラス３３に平行に設けられた後面透視部である後面ガラス
３４とによる２重構造をなしており、二重構造の隙間には密閉された空間部である透視窓
空間部３２ａが形成される。
【００８４】
この透視窓空間部３２ａ内に図１６に示すように照明装置２２４が透視窓空間部３２ａ
の上部にドラム１１内を照明する態様に斜め下方に向けて装着されている。
【００８５】
この照明装置２２４は前面ガラス３３にねじ止めされている不透明な照明装置基体２２
４ｄとＬＥＤ２２４ａが設けられている基盤２２４ａ１で構成されている。
【００８６】
そしてこの基盤２２４ａ１は、照明装置基体２２４ｄに形成されている前面ガラス３３
に対して傾斜した凹状の収納部２２４ｄ１に係合されて設置されており、基盤２２４ａ１
の表面にはＬＥＤ２２４ａがドラム１１内に向けて設けられている。
【００８７】
また基盤２２４ａ１からは、ＬＥＤ２２４ａに電源を与えるための電源コード２２４ｆ
が引き出されている。この電源コード２２４ｆは透視窓空間部３２ａ上部に設けた基盤２
２４ａ１から透視窓空間部３２ａ内側をヒンジ２９方向に延びており、ヒンジ２９から外
箱１内にある電源部（図示せず）に繋がっており、電源が供給されるようになっている。
【００８８】
そして図１５に示すように扉３７が閉まっている際には、操作パネル４９のスイッチ操
作に応じて照明装置２２４が照明し、この照明された光は後面ガラス３４を透過し、ドラ
ム１１内の照明範囲Ｕを照らす（斜線部Ｕ）。この構成により使用者はドラム式洗濯乾燥
機外から照明装置２２４が設置された場所以外の透視窓３２の部分からドラム１１内を視
認することができる。
【００８９】
またこの第４の実施形態においても第１の実施形態と同様に給風口２２が水槽カバー２
１に設けられており、給風口２２からドラム１１内に熱風を吹出している。
【００９０】
この第４の実施形態のドラム式洗濯乾燥機の動作である「乾燥」時においても、ドラム
１１の回転と同時に熱風生成装置４３で生成された熱風が水槽カバー２１に設けられた給
風路２２ａの給風口２２から勢いよく水槽カバー２１の下部２１ａの位置Ｓ（斜線部Ｓ）
に向かって１００度程度の熱風が吹出される（矢印Ｅ方向の空気の流れ）（図３参照。）
。
【００９１】
この矢印Ｅ方向の空気の流れの一部は位置Ｓに当って反射され、矢印Ｆ方向の空気の流
れとなりドラム１１内に拡散される。また、その矢印Ｅ方向の空気流れの一部は途中で矢
印Ｇ方向の空気の流れとしてドラム１１内に拡散され、撹拌中の洗濯物に接触させて、洗
濯物を乾燥する。なお図１５に示すように照明装置２２４は密閉された空間である透視窓
３２の透視窓空間部３２ａに設けているため、熱風は透視窓空間部３２ａ内に侵入せず、
熱風は照明装置２２４に当らない。
【００９２】
以上のような本発明の第４の実施形態によれば、照明装置２２４を前面ガラス３３と後
面ガラス３４内との間の密閉された空間である透視窓空間部３２ａに設けることにより、
給風口２２から吹出される熱風は後面ガラス３３に遮られ、照明装置２２４に当らないた
め、熱による照明装置２２４の劣化を防ぐことができる。
【図面の簡単な説明】
【００９３】
【図１】本発明に係る第１の実施形態のドラム式洗濯乾燥機の正面を示す図。
【図２】ドラム式洗濯乾燥機の断面図。
【図３】ドラム式洗濯乾燥機の断面図。
【図４】ドラム式洗濯乾燥機の斜視図。
【図５】照明装置の組み立て図。
【図６】水槽カバーの断面図。
【図７】本発明に係る第２の実施形態のドラム式洗濯乾燥機の正面を示す図。
【図８】本発明に係る第２の実施形態の水槽カバーの断面図。
【図９】本発明に係る第２の実施形態のドラム式洗濯乾燥機の断面図。
【図１０】本発明に係る第３の実施形態のドラム式洗濯乾燥機の正面を示す図。
【図１１】本発明に係る第３の実施形態のドラム式洗濯乾燥機の断面図。
【図１２】本発明に係る第３の実施形態のドラム式洗濯乾燥機の断面図。
【図１３】本発明に係る第３の実施形態のドラム式洗濯乾燥機の斜視図。
【図１４】本発明に係る第４の実施形態のドラム式洗濯乾燥機の正面を示す図。
【図１５】本発明に係る第４の実施形態のドラム式洗濯乾燥機の断面図。
【図１６】本発明に係る第４の実施形態の照明装置の取り付け図。
【符号の説明】
【００９４】
１  外箱、１ａ  前面部、２  水槽、２ａ  開口部、３  サスペンション、４  補強板、
５、６  軸受、７  軸受ハウジング、８  モータ、９  ステータ、１０  ロータ、１１  
ドラム、１１ａ  ドラム前面、１２  ドラム支え、１３  ドラムシャフト、１４  脱水孔
、１５  バッフル、１６  ヒータ、１７  排水口、１８  排水弁、１９  排水弁用モータ
、２０  排水ホース、２１  水槽カバー、２１ａ  下部、２１ｂ  上部、２１ｃ  取り付
け口、２１ｃ１  ボス部、２２  給風口、２２ａ  給風路、２３  開口部、２４  照明装
置、２４ａ  ＬＥＤ，２４ａ１  基盤、２４ｂ  ねじ、２４ｃ  パッキン、２４ｄ  照明
装置本体部、２４ｄ１  収納部、２４ｅ  カバー部材、２４ｅ１  突部、２４ｆ  電源コ
ード、２５  ドラムカバー、２６  洗濯物投入口、２７  洗濯物出入口、２８  扉、２９
ヒンジ、３０  取手、３１  フック、３２  透視窓、３２ａ  透視窓空間部、３３  前
面ガラス、３４  後面ガラス、３５  ベロー、３５ａ  蛇腹部、３６  除湿器、３７  ケ
ーシング、３８  ファン、３９  ベルト伝動機構、４０  モータ、４１  ダクト、４２  
ヒータ、４３  熱風生成装置、４４  給水弁、４５  給水ホース、４６  脚、４７  作業
口、４８  裏板、４９  操作パネル、５０  洗剤投入ケース、５２  給風口、５２ａ  給
風路、１００  傾斜面、１０１  光反射面、１２４  照明装置、１３２  透視窓、１３３
前面ガラス、１３４  後面ガラス、２２４  照明装置、
【図１】
2006197963.tif 000003
【図２】
2006197963.tif 000004
【図３】
2006197963.tif 000005
【図４】
2006197963.tif 000006
【図５】
2006197963.tif 000007
【図６】
2006197963.tif 000008
【図７】
2006197963.tif 000009
【図８】
2006197963.tif 000010
【図９】
2006197963.tif 000011
【図１０】
2006197963.tif 000012
【図１１】
2006197963.tif 000013
【図１２】
2006197963.tif 000014
【図１３】
2006197963.tif 000015
【図１４】
2006197963.tif 000016
【図１５】
2006197963.tif 000017
【図１６】
2006197963.tif 000018